(57)【要約】【課題】装置の操作や煙濃度の表示確認を、空気を吸引する吸引ノズルを操作する手元で可能として作業性及び操作性を向上可能とする煙検知装置を提供する。【解決手段】煙検知装置１０は、装置本体側を可搬本体部１２と据置本体部で構成し、可搬本体部１２に対しホース２４により吸引ノズル装置１６を接続する。吸引ノズル装置１６は、取手２０を備えたホルダ部１８の一端に吸引口２８を開口した伸縮自在な吸引パイプ２６を設け、ホルダ部１８の他端に装置本体側に接続するホース２４を設ける。吸引ノズル装置１６のホルダ部１８には、可搬本体部１２で検出した煙濃度を表示する煙濃度表示部３２を設ける。【選択図】図１
2020017309.tif 000002
【特許請求の範囲】
【請求項１】
吸引口から吸引した空気の煙濃度に基づいて警報を報知する装置本体と、
ホルダ部に略並行に配置された取手を備えると共に、前記ホルダ部の一端に、先端に吸引口を開口した吸引パイプを設け、前記ホルダ部の他端に前記装置本体の前記吸引口に着脱自在なホースを設けた手持ち自在な吸引ノズル装置と、
で構成し、
前記吸引ノズル装置の前記ホルダ部に、前記装置本体で検出した煙濃度を表示する煙濃度表示部を前記取手の側方近傍に配置されるように設けたことを特徴とする煙検知装置。
【請求項２】
請求項１記載の煙検知装置に於いて、
前記装置本体に、前記煙濃度に基づいて警報を報知する警報報知部を設けたことを特徴とする煙検知装置。
【請求項３】
請求項１記載の煙検知装置に於いて、
前記装置本体は、可搬本体部と据置本体部に分離すると共に前記据置本体部に対し前記可搬本体部を分離して持ち運び自在に配置し、
前記可搬本体部に、前記吸引口から空気を吸引する吸引ユニット、前記吸引口から吸引した空気の煙濃度を検出する検煙ユニット、前記検煙ユニットで検出した煙濃度を前記吸引ノズル装置の煙濃度表示部に伝送して表示させる伝送部、前記煙濃度に基づいて警報を報知する警報報知部、前記吸引ユニット、前記検煙ユニット、前記伝送部及び前記警報報知部を制御する制御部及び二次電池を有する電源部を設け、
前記据置本体部に、商用交流電源の交流電圧を所定の直流電圧に変換して出力する電源部、前記商用交流電源の停電時に電源を供給する予備バッテリー電源部、充電プラグのケーブル接続により前記可搬本体部の前記二次電池を充電する充電部、及び電源スイッチを設けたことを特徴とする煙検知装置。
【請求項４】
請求項３記載の煙検知装置に於いて、
前記可搬本体部は、利用者が持ち運びながら煙濃度を調べる場合に使用する肩掛けハンガーベルトを着脱自在に備え、
利用者が前記肩掛けハンガーベルトにより前記可搬本体部を持ち運ぶ場合に前方側面となる位置に、前記吸引ノズル装置のホースを接続するホース接続口を設けたことを特徴とする煙検知装置。
【請求項５】
請求項１記載の煙検知装置に於いて、前記吸引ノズル装置は前記吸引パイプの先端に着脱自在なＬ型ヘッドを設けたことを特徴とする煙検知装置。
【請求項６】
請求項１記載の煙検知装置に於いて、前記吸引ノズル装置の前記吸引パイプを伸縮自在としたことを特徴とする煙検知装置。
【請求項７】
請求項１記載の煙検知装置に於いて、前記吸引ノズル装置の前記ホルダ部に前記装置本体を動作する電源スイッチを設けたことを特徴とする煙検知装置。
【請求項８】
請求項１記載の煙検知装置に於いて、前記吸引ノズル装置の前記ホルダ部に、前記装置本体に設けた吸入口から空気を吸引する吸引ファンをオン、オフするファンスイッチを設けたことを特徴とする煙検知装置。
【発明の詳細な説明】
【技術分野】
【０００１】
本発明は、監視区域から吸引した空気に含まれる煙粒子にレーザ光を当てることにより微小な煙濃度を光学的に検出して警報する可搬利用可能な高感度の煙検知装置に関する。
【背景技術】
【０００２】
従来、サーバー等を設置したコンピュータルームや半導体製造設備等におけるクリーンルームには、微少な煙を検知する高感度の煙検知装置が用いられている。この高感度の煙検知装置は、監視区域に設置したサンプリング管から空気を吸引し、その空気中に浮遊する粒子の数を、レーザ光を用いて光学的に検出して微小な煙濃度を求め、所定の閾値以上の煙濃度となった場合に警報を出力するようにしている。
【０００３】
また、サンプリング管から空気を吸入する固定設置型の煙検知装置以外に、コンピュータルームやクリーンルーム等の監視区域に、ホースの先端に吸引ノズルを装着した持ち運び自在な煙検知装置を配置し、必要な場合に担当者が煙検知装置を移動しながら、吸引ノズルにより確認を必要とする場所の空気を吸引して煙濃度を点検する作業を行っている。
【０００４】
このような持ち運び自在な煙検知装置によれば、監視区域のサンプリング配管を固定的に設置する必要がなく、必要に応じて場所を移動しながら煙濃度を調べて回ることができる利点があり、例えばサンプリング管を設置して監視区域の空気を吸引する固定設置型の煙検知装置と併用する使い方をしている。
【先行技術文献】
【特許文献】
【０００５】
【特許文献１】特開２００４−０７８８０７号公報
【特許文献２】米国特許出願公開第２００６／０２２０８８６号明細書
【特許文献３】特開２００６−１６２３２２号公報
【特許文献４】特開２０１０−０１７３７８号公報
【特許文献５】特開平０６−０３６１６６号公報
【発明の概要】
【発明が解決しようとする課題】
【０００６】
しかしながら、このような従来の持ち運び自在な煙検知装置にあっては、サンプリング管を設置して監視区域の空気を吸引している固定設置型の煙検知装置と同じものを使用し、煙検知装置の吸引口に吸引ノズル付きのホースを接続した状態で、例えば台車等に乗せて必要な場所に移動し、そこでホース先端の吸引ノズルから空気を吸引して煙濃度を検知する作業を行っており、吸引ノズルによる吸引場所と煙濃度表示部を設けた煙検知装置が離れているため、吸引しながら煙濃度の表示を確認して行く作業が行いづらいという問題がある。
【０００７】
また、場所を移動しながら吸引する場合には、煙検知装置側に設けている電源スイッチの操作による吸引開始と吸引停止を繰り返す場合があり、吸引場所から離れた煙検知装置側で電源スイッチを操作する必要があるため、操作しながら吸引する作業が行いづらいという問題もある。
【０００８】
また、持ち運び型の煙検知装置とした場合には、電源として充電可能な二次電池を設けると共に、二次電池を充電する充電装置が必要であり、その分、据置型の煙検知装置に比べてサイズの大型化と重量の増加が起き、移動しながらの操作が大変になる問題もある。
【０００９】
本発明は、装置の操作や煙濃度の表示確認を、空気を吸引する吸引ノズルを操作する手元で可能として作業性及び操作性を向上可能とする持ち運び自在な高感度の煙検知装置を提供することを目的とする。
【課題を解決するための手段】
【００１０】
（煙検知装置）
本発明は、煙検知装置に於いて、
吸引口から吸引した空気の煙濃度に基づいて警報を報知する装置本体と、
ホルダ部に略並行に配置された取手を備えると共に、ホルダ部の一端に、先端に吸引口を開口した吸引ノズルを設け、ホルダ部の他端に装置本体の吸引口に着脱自在なホースを設けた手持ち自在な吸引ノズル装置と、
で構成し、
吸引ノズル装置のホルダ部に、装置本体で検出した煙濃度を表示する煙濃度表示部を取手の側方近傍に配置されるように設けたことを特徴とする。
【００１１】
（警報報知部）
装置本体に、煙濃度に基づいて警報を報知する警報報知部を設ける。
【００１２】
（本体装置の分離構造）
装置本体は、可搬本体部と据置本体部に分離すると共に据置本体部に対し可搬本体部を分離して持ち運び自在に配置し、
可搬本体部に、吸引口から空気を吸引する吸引ユニット、吸引口から吸引した空気の煙濃度を検出する検煙ユニット、検煙ユニットで検出した煙濃度を吸引ノズル装置の煙濃度表示部に伝送して表示させる伝送部、煙濃度に基づいて警報を報知する警報報知部、吸引ユニット、検煙ユニット、伝送部及び警報報知部を制御する制御部及び二次電池を有する電源部を設け、
据置本体部に、商用交流電源の交流電圧を所定の直流電圧に変換して出力する電源部、商用交流電源の停電時に電源を供給する予備バッテリー電源部、充電プラグのケーブル接続により可搬本体部の二次電池を充電する充電部、及び電源スイッチを設ける。
【００１３】
（ホース接続口の位置）
可搬本体部は、利用者が持ち運びながら煙濃度を調べる場合に使用する肩掛けハンガーベルトを着脱自在に備え、利用者が肩掛けハンガーベルトにより可搬本体部を持ち運ぶ場合に前方側面となる位置に、吸引ノズル装置のホースを接続するホース接続口を設ける。
【００１４】
（吸引ノズル装置のＬ型ヘッド）
吸引ノズル装置は吸引パイプの先端に着脱自在なＬ型ヘッドを設ける。
【００１５】
（吸引パイプの伸縮）
吸引ノズル装置の吸引パイプを伸縮自在とする。
【００１６】
（吸引ノズル装置の電源スイッチ）
吸引ノズル装置のホルダ部に装置本体を動作する電源スイッチを設ける。
【００１７】
（吸引ファンをオンオフするファンスイッチ）
吸引ノズル装置のホルダ部に、装置本体に設けた吸入口から空気を吸引する吸引ファンをオン、オフするファンスイッチを設ける。
【発明の効果】
【００１８】
（基本的な効果）
本発明の煙検知装置は、吸引口から吸引した空気の煙濃度に基づいて警報を報知する装置本体と、取手を備えたホルダ部の一端に、先端に吸引口を開口した吸引パイプを設け、ホルダ部の他端に装置本体の吸引口に着脱自在なホースを設けた手持ち自在な吸引ノズル装置とで構成し、吸引ノズル装置のホルダ部に、装置本体で検出した煙濃度を表示する煙濃度表示部を設けるようにしたため、係員は装置本体を持ち運びながら、装置本体にホースで接続している吸引ノズル装置のホルダ部の取手を持って吸引パイプで空気を吸引しながら手元のホルダ部に設けた煙濃度表示部を見て煙濃度を確認することができ、場所を移動しながら行う高感度の煙検知作業の作業性を改善し、簡単且つ容易に警戒区域内の必要とする場所に移動して煙濃度を高感度に検出し、火災による煙を初期段階で検出して適切な対処を可能とする。
【００１９】
（本体装置の分離構造による効果）
また、装置本体は、可搬本体部と据置本体部に分離すると共に据置本体部に対し可搬本体部を分離して持ち運び自在に配置し、可搬本体部に、吸引口から空気を吸引する吸引ユニット、吸引口から吸引した空気の煙濃度を検出する検煙ユニット、検煙ユニットで検出した煙濃度を吸引ノズル装置の煙濃度表示部に伝送して表示させる伝送部、煙濃度に基づいて警報を報知する警報報知部、吸引ユニット、検煙ユニット、伝送部及び警報報知部を制御する制御部及び二次電池を有する電源部を設け、据置本体部に、商用交流電源の交流電圧を所定の直流電圧に変換して出力する電源部、商用交流電源の停電時に電源を供給する予備バッテリー電源部、充電プラグのケーブル接続により可搬本体部の二次電池を充電する充電部、及び電源スイッチを設けるようにしたため、可搬本体部に、商用交流電源を接続する電源部、予備バッテリー電源部及び充電部を設ける必要がなく、その分、持ち運びながら使用する可搬本体部を小型軽量化し、持ち運びながら空気を吸引して行う煙検知の作業性を向上可能とする。
【００２０】
（ホース接続口の位置による効果）
また、可搬本体部は、利用者が持ち運びながら煙濃度を調べる場合に使用する肩掛けハンガーベルトを着脱自在に備え、利用者が肩掛けハンガーベルトにより可搬本体部を持ち運ぶ場合に前方側面となる位置に、吸引ノズル装置のホースを接続するホース接続口を設けるようにしたため、作業者は可搬本体部を肩に掛けて運びながら、煙検知を必要とする適宜の場所に出向いて微小な煙濃度を検知して火災を初期段階で検知して適切な対処可能とする。
【００２１】
また、利用者が肩掛けハンガーベルトにより可搬本体部を持ち運ぶ場合に前方側面となる位置に設けたホース接続口に吸引ノズル装置からのホースを接続することで、吸引パイプを色々な方向に向けて吸引する操作を行ってもホースに捩じれが発生せず、容易に取り扱うことを可能とする。
【００２２】
（吸引ノズル装置のＬ型ヘッドによる効果）
また、吸引ノズル装置は吸引パイプの先端に着脱自在なＬ型ヘッドを設けるようにしたため、監視区域の隅などの奥まった箇所の空気を確実に吸引して煙濃度を調べることを可能とする。
【００２３】
（吸引パイプの伸縮による効果）
また、吸引ノズル装置の吸引パイプを伸縮自在としたため、空気を吸引する箇所が遠い場合は吸引パイプを伸ばし、近い場合は吸引パイプを縮めることで、煙濃度を調べたい箇所に応じて空気を吸引する操作を容易に行うことを可能とする。
【００２４】
（吸引ノズル装置の電源スイッチによる効果）
また、吸引ノズル装置のホルダ部に装置本体を動作する電源スイッチを設けるようにしたため、手持ちしている吸引装置側の電源スイッチの操作で装置本体の動作と停止を簡単にでき、操作性を向上可能とする。
【００２５】
（吸引ファンをオンオフするファンスイッチによる効果）
また、吸引ノズル装置のホルダ部に、装置本体に設けた吸入口から空気を吸引する吸引ファンをオン、オフするファンスイッチを設けるようにしたため、係員が移動する場合にはファンスイッチのオフ操作により吸引ファンを停止にして、測定したい箇所でのみファンスイッチをオン操作して吸引を行うことを可能とし、必要なときだけ吸引ファンを動作させるので、電池の消費を抑えることが可能である。また、電源スイッチによる煙検知装置全体の電源をオン、オフさせる制御では、電源投入時にイニシャル動作のため測定可能になるまで時間を要するが、吸引ファンのファンスイッチによれば、ファンスイッチをオン操作して吸引ファン動作することで直ぐに煙濃度の測定が可能となる。
【００２６】
（吸引ノズル装置の警報報知部による効果）
また、吸引ノズル装置のホルダ部に煙濃度が所定の閾値を超えた場合に警報を報知する警報報知部を設けるようにしたため、手持ちしている吸引ノズル装置で警報表示及び又は警報音による警報報知が行われ、煙濃度の増加を確実に知ることを可能とする。
【図面の簡単な説明】
【００２７】
【図１】煙検知装置における可搬本体部と吸引ノズル装置の構成を示した説明図
【図２】煙検知装置における可搬本体部の平面、側面及び底面を示した説明図
【図３】可搬本体部に設けた警報報知部を取り出して示した説明図
【図４】煙検知装置の保管状態を示した説明図
【図５】煙検知装置の据置本体部の構成を示した説明図
【図６】煙検知装置の機能構成を示したブロック図
【発明を実施するための形態】
【００２８】
［煙検知装置の概略］
図１は煙検知装置における可搬本体部と吸引ノズル装置の構成を示した説明図であり、図１（Ａ）は可搬本体部に吸引ノズル装置を接続した状態を示し、図１（Ｂ）は吸引ノズル装置の側面を示す。図２は煙検知装置における可搬本体部の平面（Ａ）、左側面（Ｂ）、右側面（Ｃ）及び底面（Ｄ）を示した説明図、図３は可搬本体部に設けた警報報知部を取り出して示した説明図、図４は煙検知装置の保管状態を示した説明図、図５は煙検知装置の据置本体部の構成を示した説明図であり、図５（Ａ）は平面を示し、図５（Ｂ）は正面を示す。
【００２９】
図４に示すように、本実施形態の煙検知装置１０は、装置本体を分離自在な可搬本体部１２と据置本体部１４で構成し、図１に示すように、可搬本体部１２に対しホース２４により吸引ノズル装置１６を着脱自在に接続している。
【００３０】
（吸引ノズル装置の構成）
図１（Ａ）の吸引ノズル装置１６はその平面を示しており、取手２０を備えたホルダ部１８の先端側に吸引パイプ２６を連結し、吸引パイプ２６の先端に吸引口２８を開口している。またホルダ部１８の後端側にはフレキシブルなホース２４を接続している。吸引パイプ２６は内径が例えば１６ミリメートル程度であり、長さが例えば数十センチメートル程度となる。
【００３１】
ホース２４は、例えば内径が２０ミリメートル程度で長さが２メートル程度であり、ホース２４の被覆部分にスパイラル状に巻き回して所定芯線数の信号線を通している。このためホルダ部１８に対してはホース２４の接続と同時に信号線の電気的なコネクタ接続を行っている。
【００３２】
また、ホルダ部１８の横には煙濃度をバーグラフにより表示する煙濃度表示部３２を設けている。なお、煙濃度表示部３２はバーグラフ表示以外に、煙濃度を数値表示するか、又は指示計で表示しても良い。
【００３３】
図１（Ｂ）は吸引ノズル装置１６の側面を示しており、更に、吸引パイプ２６の先端にＬ型ヘッド３０を着脱自在に設けている。Ｌ型ヘッド３０は先端の吸引口３０ａが吸引パイプ２６に対し直交する方向に位置しており、監視区域に設置している機器の隅などの奥まった箇所の空気を確実に吸引して煙濃度を調べることを可能とする。
【００３４】
（可搬本体部の構成）
図１及び図２に示すように、可搬本体部１２は、箱型の筐体１２ａと蓋部１２ｂで構成し、蓋部１２ｂは筐体１２ａに対し蝶番１３により開閉自在に設けており、使用状態ではパチン錠４５により閉鎖状態にロックしている。
【００３５】
可搬本体部１２の右側面には吸引口として機能する接続口３５を設け、ここに吸引ノズル装置１６のホース２４を着脱自在に連結している。可搬本体部１２の左右の側面上部にはベルト装着部４７を設けており、肩掛けハンガーベルトを装着することで、係員は可搬本体部１２を肩に掛けて運びながら、煙検知を必要とする適宜の場所に出向いて微小な煙濃度を検知する作業を可能としている。
【００３６】
このため係員が肩掛けハンガーベルトで可搬本体部１２を肩に掛けて運びながら煙を検知する作業を行う場合、可搬本体部１２の右側面に設けたホース接続口３５は係員の前方に位置し、この状態で吸引ノズル装置１６の取手２０を持って吸引パイプ２６を煙濃度を調べたい箇所に向ける操作を行うが、このときのホース２４の動きに対しホース接続口３５は係員の前方に位置しているため、ホース２４が捩れてしまうようなことがなく、吸引パイプ２６の取り回しが容易にできる。
【００３７】
また、可搬本体部１２の上部には持ち運びに使用するハンドル４８を設けている。また、可搬本体部１２は電池電源として充電可能な二次電池を収納しており、係員は可搬本体部１２を肩に掛けて運びながら、煙検知の作業ができる。
【００３８】
可搬本体部１２に設けた筐体１２ａの上部には電源スイッチ４４を設け、また、蓋部１２ｂの表面には警報報知部４２及びリセットスイッチ４６を設けている。また、可搬本体部１２の底面には排気口３６を設けている。
【００３９】
警報報知部４２は図３に拡大して示すように、煙濃度の増加に対応して注意灯７７、警戒灯７８、及び警報灯８０を設けている。また、電源供給を示す電源灯８２、障害発生を示す障害代表灯８４及び吸引系統の詰まりを示す吸引チェック灯８６を設けている。
【００４０】
また、可搬本体部１２のホース接続口３５の上側にはバッテリーコネクタ３７、表示部コネクタ３８を設けている。バッテリーコネクタ３７には図５に示す据置本体部１４の充電プラグ５２を接続して内蔵したリチウムイオン等の二次電池の充電を行う。表示部コネクタ３８には表示部コード４０をプラグ接続し、表示部コード４０はホース接続口３５に吸引ノズル装置１６のホース２４を接続した場合に、ホース２４内の信号線に接続して煙濃度表示部３２に表示信号を伝送可能とする。
【００４１】
可搬本体部１２は、吸引ノズル装置１６の吸引口２８から吸引した空気をホース２４を介して筐体内の吸引ユニットに設けた吸引ファンにより吸引して排気口３６から排気しており、吸引した空気を内蔵している煙検知ユニットに通過させることで、レーザ光を集光した検煙点を煙粒子が通過する場合に発生する散乱光を受光素子で検出してカウントし、この煙粒子数に対応したカウント数に基づき０．００１％／ｍ〜５％／ｍの範囲で煙濃度を検出して吸引ノズル装置１６に設けた煙濃度表示部３２にバークラフ表示し、また、検出した煙濃度が予め設定した所定の閾値を超えることを判定した場合に、煙濃度の増加に応じて警報報知部４２の注意灯７７、警戒灯７８、及び警報灯８０を順次点灯又は点滅すると共に、警報音を出力して煙検知を報知する。
【００４２】
（据置本体部の構成）
図４に示すように、煙検知装置１０を保管する場合には、据置本体部１４の上に可搬本体部１２を乗せて一体化した状態としている。
【００４３】
据置本体部１４は、図５に示すように、上部の左側に電源スイッチ５０を設け、また外部に引き出して可搬本体部１２に接続可能な充電プラグ５２を設け、更に予備充電プラグ５４を設けている。
【００４４】
また、据置本体部１４は上部の右側の開閉自在な扉内を予備バッテリー収納部５８としており、その中に予備バッテリー電源部を構成する予備バッテリー（二次電池）及びＡＣプラグを備えた電源コードを収納している。
【００４５】
煙検知装置１０の保管状態では、据置本体部１４から電源コードを引き出してそのＡＣプラグを商用電源コンセントに接続し、また、コード付きの充電プラグ５２を引き出して可搬本体部１２のバッテリーコネクタ３７に接続し、二次電池のトリクル充電等を行う。このため煙検知装置１０の保管中に、可搬本体部１２に設けた二次電池の充電が常時行われており、可搬本体部１２に吸引ノズル装置１６のホース２４を接続することで、必要に応じて何時でも煙濃度を調べる作業を可能としている。
【００４６】
なお、煙検知装置１０は、可搬本体部１２、据置本体部１４及び吸引ノズル装置１６を例えばキャリーバック等に収納可能としており、施設内に設けている複数のコンピュータルームやクリーンルームをキャリーバッグに収納して持ち運び、それぞれの区画でキャリーバックから取り出して煙検知作業を行うことを可能とする。
【００４７】
［煙検知装置の機能構成］
図６は煙検知装置の機能構成を示したブロック図である。
【００４８】
（可搬本体部の機能構成）
図６に示すように、可搬本体部１２には、制御部６０、煙検知ユニット６２、吸引ユニット６４、伝送部６６、電源スイッチ４４、リセットスイッチ４６、警報報知部４２、操作表示部６８、及び電池電源部７０を設けている。
【００４９】
制御部６０は、ハードウェアとしてＣＰＵ、メモリ、各種の入出力ポート等を備えたコンピュータ回路等で構成され、ＣＰＵによるプログラムの実行により煙検知制御を行う。
【００５０】
煙検知ユニット６２は吸入口から吸引した空気の気流に対しレーザ光を結像して１マイクロメートル程度の検煙点を形成し、この検煙点を煙粒子が通過する場合に発生する散乱光を、レーザ光の電界成分Ｅの方向と平行に配置したフォトダイオードで受光して検出パルスを出力してカウントし、このカウント数により微小な煙濃度を検出して出力する。
【００５１】
吸引ユニット６４はモータにより駆動される吸引ファンを備え、吸引ファンの回転駆動により吸引ノズル装置１６から煙粒子を含む空気を吸引して煙検知ユニット６２を通過させて排気口３６から排気するようにしている。伝送部６６は吸引ノズル装置１６に対し煙濃度検出信号を送信する信号伝送を行う。
【００５２】
電源スイッチ４４は電池電源部７０による電源供給をオンオフして煙検知動作の起動停止を行う。リセットスイッチ４６は煙検知装置を正常状態に復帰させる場合に操作する。
【００５３】
制御部６０は、煙検知ユニット６２で検出した煙濃度に基づき煙濃度表示信号を生成し、伝送部６６に指示して吸引ノズル装置１６の煙濃度表示部３２に伝送して煙濃度をバーグラフで表示する制御を行う。
【００５４】
ここで、制御部６０による煙濃度表示部３２の表示は、０．００５〜０．１％／ｍ、０．０１〜０．２％／ｍ、０．０２５〜０．５％／ｍ、０．２５〜５．０％／ｍの４レンジを選択切替えして表示可能としている。このレンジ切替は操作表示部６８のスイッチ切替えで行うが、必要に応じて現在の切替レンジを示す表示を行うようにしても良い。
【００５５】
また、制御部６０は、煙検知ユニット６２により検出した煙濃度が所定の閾値を超えた場合に警報報知部４２に指示して警報表示する制御を行う。ここで、警報報知部４２には、図３に示したように、注意灯７７、警戒灯７８、及び警報灯８０の３段階の表示灯を設けており、煙濃度の増加に対応して順次選択的に点灯する。
【００５６】
電池電源部７０はリチウムイオン電池等の二次電池を備え、例えば０．５Ａｈ程度の電池容量としている。
【００５７】
（据置本体部の機能構成）
据置本体部１４には、電源回路部７２、充電部７４及び予備バッテリー電源部７６を設けている。
【００５８】
電源回路部７２は、ＡＣプラグ５６をＡＣコンセントに接続することで商用ＡＣ１００ボルトを入力して整流平滑により所定の直流電圧に変換して出力する。充電部７４は充電プラグ５２を備えたコネクタケーブルにより可搬本体部１２の電池電源部７０に接続した状態で、電池電源部７０に設けたリチウムイオン電池等の二次電池のトリクル充電を行う。また、予備充電プラグ５４を備えたコネクタケーブルも設けている。
【００５９】
予備バッテリー電源部７６は予備バッテリーを備え、商用電源の停電を検出した場合に切替えられて充電部７４に対し予備バッテリーから所定の直流電圧を供給する。
【００６０】
［煙検知装置による煙検知作業］
図１乃至図６について、煙検知装置１０を使用した煙検知作業を説明すると次のようになる。
【００６１】
煙検知装置１０は、サーバー等を設置したコンピュータルームや半導体製造設備等におけるクリーンルーム等に図４に示すようにして保管しており、据置本体部１４に対し可搬本体部１２を載置した状態で、ＡＣプラグ５６をＡＣコンセントに接続して商用ＡＣ１００ボルトを入力し、電源回路部７２からの直流入力を受けて充電部７４が可搬本体部１２に設けた電池電源部７０の充電を行っている。
【００６２】
係員が監視区域内の煙濃度を点検する場合には、可搬本体部１２のハンドル４８を手で持つか、又は肩掛けハンガーベルトにより肩掛けして、煙を検知したい場所に移動し、可搬本体部１２にホース２４により接続している吸引ノズル装置１６の取手２０を手で持ち、監視区域内の煙濃度を確認したい場所に移動し、そこで可搬本体部１２に設けている電源スイッチ４４をオン操作し、吸引パイプ２６の先端の吸入口２８を煙濃度を確認したい場所に近づけて空気を吸引する。
【００６３】
可搬本体部１２に設けている電源スイッチ４４をオン操作すると、可搬本体部１２の電池電源部７０から各回路部に対し電源が供給され、制御部６０、煙検知ユニット６２、吸引ユニット６４、伝送部６６、警報報知部４２、更に吸引ノズル装置１６に設けた煙濃度表示部３２が動作状態となる。
【００６４】
可搬本体部１２の吸引ユニット６４に設けた吸引ファンが動作することで、吸引ノズル装置１６の吸引口２８から空気が吸引され、ホース２４を介して可搬本体部１２の煙検知ユニット６２を通過して排出される。
【００６５】
煙検知ユニット６２は、吸引ノズル装置１６を介して吸引した空気の気流に対しレーザ光を結像して１マイクロメートル程度の検煙点を形成し、この検煙点を煙粒子が通過する場合に発生する散乱光を、レーザ光の電界成分Ｅの方向と平行に配置したフォトダイオードで受光して検出パルスを出力してカウントし、このカウント数により微小な煙濃度を検出して煙濃度検出信号を出力し、吸引ノズル装置１６の煙濃度表示部３２に送って煙濃度を表示する。
【００６６】
これにより係員は監視区域を移動しながら、吸引ノズル装置１６により確認を必要とする場所の空気を吸引して煙濃度を確認する作業を可能とする。
【００６７】
また、煙検知作業中に、制御部６０が煙検知ユニット６２で検出した煙濃度が所定の注意閾値に達したことを検出すると、注意信号を警報報知部４２に出力して注意警報を注意灯７７の点灯と音響出力で報知する。
【００６８】
また、制御部６０が煙検知ユニット６２で検出した煙濃度が所定の警戒閾値に達したことを検出すると、警戒警報信号を警報報知部４２に出力して警戒灯７８の点灯と音響出力により報知する。
【００６９】
さらに、制御部６０が煙検知ユニット６２で検出した煙濃度が所定の警報閾値に達したことを検出すると、警報信号を警報報知部４２に出力して警報灯８２の点灯と音響出力により報知する。
【００７０】
［本発明の変形例］
（煙濃度表示部）
上記の実施形態は、吸引ノズル装置に煙濃度表示部を設けているが、可搬本体部に煙濃度表示部を設けるようにしても良い。
【００７１】
（電源スイッチ）
また、上記の実施形態は、可搬本体部に電源スイッチを設けているが、吸引ノズル装置のホルダ部に電源スイッチを設けて手元操作を可能とするようにしても良い。
【００７２】
（ファンスイッチ）
また、吸引ノズル装置のホルダ部に、電源スイッチに加え、装置本体の吸引ユニットに設けた吸引ファンをオン、オフするファンスイッチを設けるようにしても良い。このように吸引ユニットのホルダ部にファンスイッチを設けることで、係員が移動する場合にはファンスイッチのオフ操作により吸引ファンを停止にし、測定したい箇所でのみファンスイッチをオン操作して吸引を行うことを可能とし、必要なときだけ吸引ファンを動作させるので、電池の消費を抑えることが可能である。また、電源スイッチによる煙検知装置全体の電源をオン、オフさせる制御では、電源投入時にイニシャル動作のため測定可能になるまで時間を要するが、吸引ファンのファンスイッチによれば、ファンスイッチをオン操作して吸引ファンを動作することで直ぐに煙濃度の測定が可能となる。
【００７３】
（警報報知部）
また、上記の実施形態は、可搬本体部に警報報知部を設けているが、吸引ノズル装置に警報報知部を設けて手元で警報が確認できるようにしても良い。
【００７４】
（その他）
また、本発明はその目的と利点を損なうことのない適宜の変形を含み、更に上記の実施形態に示した数値による限定は受けない。
【符号の説明】
【００７５】
１０：煙検知装置
１２：可搬本体部
１４：据置本体部
１６：吸引ノズル装置
１８：ホルダ部
２０：取手
２４：ホース
２６：吸引パイプ
２８：吸引口
３０：Ｌ型ヘッド
３２：煙濃度表示部
３６：排気口
３７：バッテリーコネクタ
３８：表示部コネクタ
４０：表示部コード
４２：警報報知部
４４，５０：電源スイッチ
４６：リセットスイッチ
５２：充電プラグ
６０：制御部
６２：煙検知ユニット
６４：吸引ユニット
６６：伝送部
６８：操作表示部
７０：電池電源部
７２：電源回路部
７４：充電部
７６：予備バッテリー電源部
【図１】
2020017309.tif 000003
【図２】
2020017309.tif 000004
【図３】
2020017309.tif 000005
【図４】
2020017309.tif 000006
【図５】
2020017309.tif 000007
【図６】
2020017309.tif 000008